(57)【要約】【課題】安価に、しかも簡易な構成でラックの機器収容状態を一元管理できるラック収容機器管理システムを提供する。【解決手段】本発明のラック収容機器管理システム１は、ラック２と、ラック２の情報が記憶されたラック情報ＲＦＩＤタグ３と、ラック２の機器取付部（スロット部２２１）に対応する位置情報が記憶された位置情報ＲＦＩＤタグ４と、機器９の個別情報が記憶された個別情報ＲＦＩＤタグ５と、機器９が取り付けられた機器取付部２２１に対応する位置情報ＲＦＩＤタグ４を覆うシールド手段６と、ＲＦＩＤタグの情報を配置順に読み取る読取手段７と、読み取ったＲＦＩＤタグの情報に基づいて、ラック２の機器収容情報を取得する端末８と、を備える。【選択図】図１
2010205127.tif 000002
【特許請求の範囲】
【請求項１】
ラックと、
前記ラックに貼り付けられ、前記ラックの情報が記憶されたラック情報ＲＦＩＤタグと、
前記ラックの機器取付部に対応するように貼り付けられ、前記対応する機器取付部の位置情報が記憶された位置情報ＲＦＩＤタグと、
前記ラック内に取り付けられる機器に貼り付けられ、前記機器の個別情報が記憶された個別情報ＲＦＩＤタグと、
前記機器が取り付けられた前記機器取付部に対応する位置情報ＲＦＩＤタグを覆うシールド手段と、
前記ラック情報ＲＦＩＤタグの情報を読み取り、さらに前記個別情報ＲＦＩＤタグの情報及び露出する前記位置情報ＲＦＩＤタグの情報を配置順に読み取る読取手段と、
前記ラック情報ＲＦＩＤタグの情報、及び前記個別情報ＲＦＩＤタグの情報と前記位置情報ＲＦＩＤタグの情報とに基づいて、前記ラックの機器収容情報を取得する端末と、
を備えるラック収容機器管理システム。
【請求項２】
前記読取手段は携帯式であって、前記携帯式の読取手段を、前記個別情報ＲＦＩＤタグ及び露出する前記位置情報ＲＦＩＤタグに上下方向の配置順に倣って近付け、前記個別情報ＲＦＩＤタグの情報及び露出する前記位置情報ＲＦＩＤタグの情報を読み取ることを特徴とする請求項１に記載のラック収容機器管理システム。
【請求項３】
前記端末は、前記機器の個別情報ＲＦＩＤタグの情報と、前記機器の個別情報ＲＦＩＤタグの前後に読み取られた位置情報ＲＦＩＤタグの情報とに基づいて、機器の収容位置情報を取得することを特徴とする請求項１又は２に記載のラック収容機器管理システム。
【請求項４】
前記端末は、読み取られた前記位置情報ＲＦＩＤタグに対応する機器取付部に機器が取り付けられていないと判断し、前記機器取付部の空き情報を取得することを特徴とする請求項１乃至３のいずれか１項に記載のラック収納機器管理システム。
【請求項５】
前記端末は、読み取られた前記ラック情報ＲＦＩＤタグの情報と、前記個別情報ＲＦＩＤタグの情報とに基づいて、前記ラックの機器許容情報を取得することを特徴とする請求項１乃至４のいずれか１項に記載のラック収容機器管理システム。
【請求項６】
前記端末は、前記ラックの情報、前記機器の個別情報、前記機器の収容位置情報、前記機器取付部の空き情報、前記ラックの機器許容情報に基づいて、ラック収容図を作成することを特徴とする請求項１乃至５のいずれか１項に記載のラック収容機器管理システム。
【請求項７】
前記ラック情報ＲＦＩＤタグは、機器取付部の数、収容能力、許容積載重量、寸法、許容電源容量が記憶されていることを特徴とする請求項１又は５に記載のラック収容機器管理システム。
【請求項８】
前記個別情報ＲＦＩＤタグは、機器が消費する機器取付部の数、機器の重量、機器の必要電源量、機器の冗長化情報、機器の付属構成情報が記憶されていることを特徴とする請求項１乃至３、５のいずれか１項に記載のラック収容機器管理システム。
【請求項９】
前記機器取付部は、ラックレールに形成されたスロット部であって、
前記スロット部に、機器がラックマウントを介して取り付けられることを特徴とする請求項１乃至８のいずれか１項に記載のラック収容機器管理システム。
【請求項１０】
前記ラックマウントは、前記シールド手段として機能し、
前記ラックマウントに前記個別情報ＲＦＩＤタグが貼り付けられていることを特徴とする請求項９に記載のラック収容機器管理システム。
【請求項１１】
ラックの情報が記憶されたラック情報ＲＦＩＤタグを前記ラックに貼り付け、
前記ラックの機器取付部の位置情報が記憶された位置情報ＲＦＩＤタグを、前記機器取付部に対応するように貼り付け、
前記ラック内に取り付けられる機器の個別情報が記憶された個別情報ＲＦＩＤタグを前記機器に貼り付け、
前記機器が取り付けられた前記機器取付部に対応する位置情報ＲＦＩＤタグを覆い、
前記ラック情報ＲＦＩＤタグの情報を読み取り、さらに個別情報ＲＦＩＤタグの情報及び露出する前記位置情報ＲＦＩＤタグの情報を配置順に読み取り、
前記ラック情報ＲＦＩＤタグの情報、及び個別情報ＲＦＩＤタグの情報と前記位置情報ＲＦＩＤタグの情報に基づいて、前記ラックの機器収容情報を取得するラック収容機器管理方法。
【請求項１２】
携帯式の読取手段を前記個別情報ＲＦＩＤタグ及び露出する前記位置情報ＲＦＩＤタグに上下方向の配置順に倣って近付け、前記個別情報ＲＦＩＤタグの情報及び露出する前記位置情報ＲＦＩＤタグの情報を読み取ることを特徴とする請求項１１に記載のラック収容機器管理方法。
【請求項１３】
前記機器の個別情報ＲＦＩＤタグの情報と、前記機器の個別情報ＲＦＩＤタグの前後に読み取られた位置情報ＲＦＩＤタグの情報とに基づいて、機器の収容位置情報を取得することを特徴とする請求項１１又は１２に記載のラック収容機器管理方法。
【請求項１４】
読み取られた前記位置情報ＲＦＩＤタグに対応する機器取付部に機器が取り付けられていないと判断し、前記機器取付部の空き情報を取得することを特徴とする請求項１１乃至１３のいずれか１項に記載のラック収納機器管理方法。
【請求項１５】
読み取られた前記ラック情報ＲＦＩＤタグの情報と、前記個別情報ＲＦＩＤタグの情報とに基づいて、前記ラックの機器許容情報を取得することを特徴とする請求項１１乃至１４のいずれか１項に記載のラック収容機器管理方法。
【請求項１６】
前記ラックの情報、前記機器の個別情報、前記機器の格納位置情報、前記機器取付部の空き情報、前記ラックの機器許容情報に基づいて、ラック収容図を作成することを特徴とする請求項１１乃至１５のいずれか１項に記載のラック収容機器管理方法。
【発明の詳細な説明】
【技術分野】
【０００１】
本発明はラック収納機器管理システム及びラック収納機器管理方法に関する。
【背景技術】
【０００２】
大量な機器が設置されているデータセンタでは、各々の機器及び機器情報管理はアナログな方法が主流であり、機器の移設等の際には再度情報を人力で整理する必要があった。また都心のデータセンタでは常に電源問題や重量問題が発生している。新規にシステムを構築する際には、先ず導入する機器がデータセンタの空き要件に合っているかを調べなくてはならず大変な手間がかかっていた。
【０００３】
そのため、特許文献１のラック収容機器管理システムは、ラックの各棚に読取手段が配置されている。棚に収容する機器には、当該機器の個別情報が記憶されたＲＦＩＤ（Radio Frequency Identification）タグが貼り付けられている。機器が棚に収容されると、当該機器に貼り付けられたＲＦＩＤタグの情報を読取手段で読み取り、収容された機器の個別情報及び搭載位置が取得される。
【先行技術文献】
【特許文献】
【０００４】
【特許文献１】特開２００７−２２６５８２号公報
【発明の概要】
【発明が解決しようとする課題】
【０００５】
特許文献１のラック収容機器管理システムは、各棚に読取手段を配置する必要があり、コストが嵩む。また、読取手段の個数の増加に伴いシステムが複雑化する。
【０００６】
本発明の目的は、上述した課題を解決するラック収容機器管理システム及びラック収容機器管理方法を提供することにある。
【課題を解決するための手段】
【０００７】
本発明のラック収容機器管理システムは、ラックと、前記ラックに貼り付けられ、前記ラックの情報が記憶されたラック情報ＲＦＩＤタグと、前記ラックの機器取付部に対応するように貼り付けられ、前記対応する機器取付部の位置情報が記憶された位置情報ＲＦＩＤタグと、前記ラック内に取り付けられる機器に貼り付けられ、前記機器の個別情報が記憶された個別情報ＲＦＩＤタグと、前記機器が取り付けられた前記機器取付部に対応する位置情報ＲＦＩＤタグを覆うシールド手段と、前記ラック情報ＲＦＩＤタグの情報を読み取り、さらに前記個別情報ＲＦＩＤタグの情報及び露出する前記位置情報ＲＦＩＤタグの情報を配置順に読み取る読取手段と、前記ラック情報ＲＦＩＤタグの情報、及び前記個別情報ＲＦＩＤタグの情報と前記位置情報ＲＦＩＤタグの情報とに基づいて、前記ラックの機器収容情報を取得する端末と、を備える。
【０００８】
本発明のラック収集機器管理方法は、ラックの情報が記憶されたラック情報ＲＦＩＤタグを前記ラックに貼り付け、前記ラックの機器取付部の位置情報が記憶された位置情報ＲＦＩＤタグを、前記機器取付部に対応するように貼り付け、前記ラック内に取り付けられる機器の個別情報が記憶された個別情報ＲＦＩＤタグを前記機器に貼り付け、前記機器が取り付けられた前記機器取付部に対応する位置情報ＲＦＩＤタグを覆い、前記ラック情報ＲＦＩＤタグの情報を読み取り、さらに個別情報ＲＦＩＤタグの情報及び露出する前記位置情報ＲＦＩＤタグの情報を配置順に読み取り、前記ラック情報ＲＦＩＤタグの情報、及び個別情報ＲＦＩＤタグの情報と前記位置情報ＲＦＩＤタグの情報に基づいて、前記ラックの機器収容情報を取得する。
【発明の効果】
【０００９】
本発明によれば、安価に、しかも簡易な構成でラックの機器収容状態を一元管理できるラック収容機器管理システム及びラック収容管理方法を提供することができる。
【図面の簡単な説明】
【００１０】
【図１】本発明のラック収容機器管理システムの実施の形態を概略的に示すブロック図である。
【図２】ラックの構成を概略的に示す斜視図である。
【図３】ラックレールのスロット部に対応する位置情報ＲＦＩＤタグと、機器の取付冶具であるラックマウント（シールド手段）との関係を概略的に示す模式図である。
【図４】ラック収容図を示す図である。
【発明を実施するための形態】
【００１１】
本発明に係るラック収容機器管理システム及びラック収容機器管理方法の実施の形態について説明する。但し、本発明が以下の実施の形態に限定される訳ではない。また、説明を明確にするため、以下の記載及び図面は、適宜、簡略化されている。
【００１２】
本実施の形態のラック収容機器管理システム１は、図１乃至３に示すように、ラック２、ラック情報ＲＦＩＤタグ３、位置情報ＲＦＩＤタグ４（４ａ〜４ｆ）、個別情報ＲＦＩＤタグ５（５ａ、５ｂ）、シールド手段６、読取手段７、端末８を備える。
【００１３】
ラック２は、一般的のサーバ機に用いられるラックである。すなわち、ラック２は、図２に示すように、筐体２１内の四隅にラックレール２２が立設されている。ラックレール２２は、筐体２１の前面又は後面に、上下方向に所定の間隔で機器取付部であるスロット部２２１（２２１ａ〜２２１ｆ）を備える。但し、スロット部の個数は特に限定されず、図示例では説明を簡略化するために少数としている。
【００１４】
ラック２に収容される機器９（９ａ、９ｂ）は、ラックマウント２３（２３ａ、２３ｂ）を介してラックレール２２に取り付けられる。ラックマウント２３は、平面視がＬ型形状とされている。ラックマウント２３の一辺は、ラックレール２２のスロット部２２１にネジ等の接合手段によって取り付けられる。ラックマウント２３の他辺は、機器９の側面にネジ等の接合手段によって取り付けられる。このように、ラックレール２２とラックマウント２３とを用いて、機器９をラック２内に取り付けて収容する。
【００１５】
ラック情報ＲＦＩＤタグ３は、一般的なＲＦＩＤタグと同様に、ＩＣ（Integrated Circuit）チップとアンテナとを備える。ＩＣチップには、ラック２の情報が記憶されている。すなわち、ＩＣチップには、ラック２のスロット部の数、ラック２の収容能力（Ｕ）、ラック２の許容積載重量（ｋｇ）、ラック２の寸法（ｍｍ）、ラック２の許容電源容量、その他の情報が記憶されている。このラック情報ＲＦＩＤタグ３は、ラック２に貼り付けられている。ちなみに、ラック情報ＲＦＩＤタグ３は、読取手段７で読み取り易いように、ラック２の前面に貼り付けると良い。
【００１６】
位置情報ＲＦＩＤタグ４（４ａ〜４ｆ）も、一般的なＲＦＩＤタグと同様に、ＩＣチップとアンテナとを備える。ＩＣチップには、各スロット部２２１（２２１ａ〜２２１ｆ）に対応する位置情報が記憶されている。すなわち、位置情報ＲＦＩＤタグ４ａのＩＣチップにスロット部２２１ａの位置情報、位置情報ＲＦＩＤタグ４ｂのＩＣチップにスロット部２２１ｂの位置情報、位置情報ＲＦＩＤタグ４ｃのＩＣチップにスロット部２２１ｃの位置情報が記憶されている。以下、位置情報ＲＦＩＤタグ４ｄ〜４ｆについては省略するが、このようにスロット部２２１に対応する位置情報が位置情報ＲＦＩＤタグ４に記憶されている。この位置情報ＲＦＩＤタグ４は、図３に示すように、対応するスロット部２２１の近傍に貼り付けられている。このとき、位置情報ＲＦＩＤタグ４は、筐体２１の前面側に配置された左右いずれか一方のラックレール２２の前面、即ちスロット部２２１が形成された面に貼り付けられると、筐体２１の前面側から読取手段７によって位置情報ＲＦＩＤタグ４の情報を容易に読み取ることができる。このように位置情報ＲＦＩＤタグ４をラックレール２２におけるスロット部２２１が形成された面に貼り付けると、当該スロット部２２１に機器９を取り付ける際に、位置情報ＲＦＩＤタグ４がラックマウント２３によって覆われる。そのため、ラックマウント２３は、機器９が取り付けられるスロット部２２１に対応する位置情報ＲＦＩＤタグ４のシールド手段６として機能することになる。
【００１７】
個別情報ＲＦＩＤタグ５（５ａ、５ｂ）も、一般的なＲＦＩＤタグと同様に、ＩＣチップとアンテナとを備える。ＩＣチップには、機器９の個別情報が記憶されている。すなわち、ＩＣチップには、収容される機器９が消費するスロット部の数、機器９の重量、機器９の必要電源量、機器９の冗長化情報、機器９の付属構成情報、その他の情報が記憶されている。この個別情報ＲＦＩＤタグ５は、機器９に貼り付けられている。このとき、個別情報ＲＦＩＤタグ５は、図３に示すように、機器９の取付冶具であるラックマウント２３の一辺における外面に貼り付けられると、筐体２１の前面側から読取手段７によって個別情報ＲＦＩＤタグ５の情報を容易に読み取ることができる。
【００１８】
シールド手段６は、上述のように機器９が取り付けられるスロット部２２１に対応する位置情報ＲＦＩＤタグ４を覆い、読取手段７による読み取りを阻害する部材である。本実施形態のシールド手段６は、ラックマウント２３から成る。但し、位置情報ＲＦＩＤタグ４がラックレール２２における筐体２１の内方側の側面に貼り付けられている場合は、機器９を筐体２１内に収容した際に、位置情報ＲＦＩＤタグ４は自然と機器９によって覆われることになる。すなわち、機器９がシールド手段として機能することになる。
【００１９】
読取手段７は、ＲＦＩＤタグの情報を読み取ったり、書き換えたりするリーダライタ装置である。読取手段７は、個別情報ＲＦＩＤタグ５の情報及び露出する位置情報ＲＦＩＤタグ４の情報を、上方又は下方に向かって個別情報ＲＦＩＤタグ５及び位置情報ＲＦＩＤタグ４の配置順に読み取る。さらに読取手段７は、ラック情報ＲＦＩＤタグ３の情報を読み取る。
【００２０】
ここで、読取手段７は、携帯型のリーダライタ装置であることが好ましい。このように読取手段７として携帯型のリーダライタ装置を用いると、当該リーダライタ装置を個々の個別情報ＲＦＩＤタグ５及び露出する位置情報ＲＦＩＤタグ４に上下方向の配置順に倣って近付け、個別情報ＲＦＩＤタグ５の情報及び露出する位置情報ＲＦＩＤタグ４の情報を良好に読み取ることができる。つまり、一台の読取手段７によって、読み取るべき複数のＲＦＩＤタグを所定の順序で読み取ることができる。
【００２１】
読取手段７を用いてＲＦＩＤタグの情報を読み取る場合は、読取手段７をＲＦＩＤタグに近付け、当該読取手段７のアンテナから制御信号を含む電波をＲＦＩＤタグに発信する。ＲＦＩＤタグは、アンテナで読取手段７からの電波を受信し、当該アンテナの共振作用により起電力を発生させる。ＲＦＩＤタグは、発生した電力により、ＩＣチップを起動させ、当該ＩＣチップに記憶された情報を搬送波に乗せてアンテナから読取手段７に送信する。読取手段７は、アンテナでＲＦＩＤタグからの情報を受信する。このような原理で、読取手段７をＲＦＩＤタグに近付けて、当該ＲＦＩＤタグに記憶されている情報を読み取る。読取手段７は、読み取ったＲＦＩＤタグの情報を端末８に送信する。
【００２２】
端末８は、例えば一般のエンドユーザが利用しているパーソナルコンピュータ等のコンピュータである。つまり、端末８は、キーボードやマウスなどの操作部、表示部、ＭＰＵ（Micro Processing Unit）等から成る演算処理部、プログラム等を格納した記憶部、インターフェース等を備える。当該プログラムは、ラック情報ＲＦＩＤタグ３の情報を受信するとラック収容図を作成する準備を行う機能を備える。当該プログラムは、端末８に対して、読取手段７によって読み取られた順に個別情報ＲＦＩＤタグ５の情報及び露出する位置情報ＲＦＩＤタグ４の情報に基づいて、機器９の収容位置情報を取得させる機能を備える。当該プログラムは、端末８に対して、読取手段７によって読み取られた位置情報ＲＦＩＤタグ４の情報に基づいて、スロット部２２１の空き情報を取得させる機能を備える。当該プログラムは、端末８に対して、読取手段７によって読み取られたラック情報ＲＦＩＤタグ３の情報と、個別情報ＲＦＩＤタグ５の情報とに基づいて、ラック２の機器許容情報を取得させる機能を備える。当該プログラムは、端末８に対して、ラック２の情報、機器９の個別情報、機器９の収容位置情報、スロット部２２１の空き情報、ラック２の機器許容情報に基づいて、ラック収容図を作成させる機能を備える。
【００２３】
具体的にいうと、図３に示すように、スロット部２２１ａ、２２１ｂにラックマウント２３ａを介して機器９ａが取り付けられ、スロット部２２１ｆにラックマウント２３ｂを介して機器９ｂが取り付けられているとする。ラックレール２２には、スロット部２２１ａ〜２２１ｆに対応する位置情報ＲＦＩＤタグ４ａ〜４ｆが貼り付けられている。ラックマウント２３ａには、機器９ａの個別情報が記憶された個別情報ＲＦＩＤタグ５ａが貼り付けられている。ラックマウント２３ｂには、機器９ｂの個別情報が記憶された個別情報ＲＦＩＤタグ５ｂが貼り付けられている。
【００２４】
端末８は、読取手段７で読み取られたラック情報ＲＦＩＤタグ３の情報を当該読取手段７からインターフェースを介して受信する。端末８は、ラック情報ＲＦＩＤタグ３の情報を記憶部に格納すると共に、当該ラック２の機器の収容図を作成する準備を行う。ここでの準備は、機器の収容図を作成するべく、当該ラック２の情報からラック自体の構成を認識することである。このように、ラック情報ＲＦＩＤタグ３を読み取ると、簡単にラック２の情報を取得することができる。つまり、複数台のラック２の機器の収容図を作成する際に、ラック２毎のラック情報ＲＦＩＤタグ３を読み取ると、簡単にラック２毎の情報を取得することができ、好都合である。
【００２５】
端末８は、読取手段７で読み取られた個別情報ＲＦＩＤタグ５の情報及び露出する位置情報ＲＦＩＤタグ４の情報を当該読取手段７からインターフェースを介して受信する。端末８は、当該個別情報ＲＦＩＤタグ５の情報及び露出する位置情報ＲＦＩＤタグ４の情報を記憶部に格納する。
【００２６】
端末８は、演算処理部が記憶部から当該個別情報ＲＦＩＤタグ５の情報及び露出する位置情報ＲＦＩＤタグ４の情報を呼び出し、当該個別情報ＲＦＩＤタグ５の情報及び露出する位置情報ＲＦＩＤタグ４の情報に基づいて、機器９の収容位置情報を取得する。すなわち、読取手段７によって、上方から下方に向かって個別情報ＲＦＩＤタグ５ａの情報、位置情報ＲＦＩＤタグ４ｃ〜４ｅの情報、個別情報ＲＦＩＤタグ５ｂの情報が順に読み取られる。個別情報ＲＦＩＤタグ５ａの情報は、ラックマウント２３ａによって覆われた位置情報ＲＦＩＤタグ４ａ、４ｂの情報の代わりに読み取られた、当該位置情報ＲＦＩＤタグ４ａ、４ｂに対応するスロット部２２１ａ、２２１ｂに取り付けられた機器９ａの情報である。また、個別情報ＲＦＩＤタグ５ａの情報の前に、読み取られた位置情報ＲＦＩＤタグは無く、個別情報ＲＦＩＤタグ５ａの情報の後に、位置情報ＲＦＩＤタグ４ｃが読み取られている。個別情報ＲＦＩＤタグ５ｂの情報は、ラックマウント２３ｂによって覆われた位置情報ＲＦＩＤタグ４ｆの情報の代わりに読み取られた、当該位置情報ＲＦＩＤタグ４ｆに対応するスロット部２２１ｆに取り付けられた機器９ｂの情報である。また、個別情報ＲＦＩＤタグ５ｂの前に、位置情報ＲＦＩＤタグ４ｅが読み取られ、個別情報ＲＦＩＤタグ５ｂの後に、読み取られた位置情報ＲＦＩＤタグは無い。そこで、端末８の演算処理部は、位置情報ＲＦＩＤタグ４ｃより上方に配置された位置情報ＲＦＩＤタグ４ａ、４ｂに対応するスロット部２２１ａ、２２１ｂに機器９ａが取り付けられていると判断し、機器９ａの収容位置情報を作成して記憶部に格納する。また、端末８の演算処理部は、位置情報ＲＦＩＤタグ４ｅより下方に配置された位置情報ＲＦＩＤタグ４ｆに対応するスロット部２２１ｆに機器９ｂが取り付けられていると判断し、機器９ｂの収容位置情報を作成して記憶部に格納する。このように、機器９を取り付けたスロット部２２１に対応する位置情報ＲＦＩＤタグ４をシールド手段で覆い、代わりに読み取った当該機器９の個別情報ＲＦＩＤタグ５の情報と、当該個別情報ＲＦＩＤタグ５の前後に読み取った位置情報ＲＦＩＤタグ４の情報とに基づいて、簡単に機器９の収容位置情報を取得することができる。
【００２７】
このとき、端末８の演算処理部は、個別情報ＲＦＩＤタグ５ａ（５ｂ）の情報によって、機器９ａ（９ｂ）が消費するスロット部の数（段数）を取得している。そのため、端末８の演算処理部は、機器９ａ（９ｂ）が消費するスロット部の数と、読み取られなかった位置情報ＲＦＩＤタグ４ａ、４ｂ（４ｆ）に対応するスロット部の数とが一致しているか否かを判断することができる。すなわち、位置情報ＲＦＩＤタグ４ａ、４ｂ（４ｆ）は、機器９ａ（９ｂ）が取り付けられることによって読み取られなかったのか、読取手段７との通信不良によって読み取られなかったのかを判断することができる。端末８の演算処理部は、一致しなかった場合、表示部にその旨を表示させることが好ましい。
【００２８】
端末８の演算処理部は、読み取られた位置情報ＲＦＩＤタグ４ｃ〜４ｅに対応するスロット部２２１ｃ〜２２１ｅに機器が取り付けられていないと判断し、スロット部の空き情報を作成して記憶部に格納する。機器９が取り付けられているスロット部２２１に対応する位置情報ＲＦＩＤタグ４は、シールド手段で覆われているので、読み取った位置情報ＲＦＩＤタグ４に基づいて、簡単にスロット部の空き情報を取得することができる。
【００２９】
端末８は、演算処理部が記憶部からラック情報ＲＦＩＤタグ３の情報と個別情報ＲＦＩＤタグ５ａ、５ｂの情報とを呼び出し、当該ラック情報ＲＦＩＤタグ３の情報と個別情報ＲＦＩＤタグ５ａ、５ｂの情報とに基づいて、ラック２の機器許容情報を取得する。すなわち、端末８の演算処理部は、ラック２の情報として当該ラック２のスロット部の数、ラック２の収容能力（Ｕ）、ラック２の許容積載重量（ｋｇ）、ラック２の寸法（ｍｍ）、ラック２の許容電源容量などを取得する。また、端末８の演算処理部は、機器９ａ（９ｂ）の個別情報として、収容される機器９ａ（９ｂ）が消費するスロット部の数、機器９ａ（９ｂ）の重量、機器９ａ（９ｂ）の必要電源容量、機器９ａ（９ｂ）の冗長化情報、機器９ａ（９ｂ）の付属構成情報などを取得する。そこで、端末８の演算処理部は、機器９ａの個別情報と機器９ｂの個別情報とを加算し、加算した機器の情報とラック２の情報とを比較し、ラック２の機器許容情報を取得して記憶部に格納する。例えば、端末８の演算処理部は、加算した機器の必要電源容量とラック２の許容電源容量とを比較し、残りの許容電源容量を算出して記憶部に格納する。また、端末８の演算処理部は、加算した機器の重量とラック２の許容積載重量とを比較し、残りの許容重量を算出して記憶部に格納する。ラック２の情報を記憶したラック情報ＲＦＩＤタグ３を当該ラック２に貼り付けているので、ラック情報ＲＦＩＤタグ３の情報を読み取ると、簡単にラック２の情報を取得することができる。そのため、ラック２の情報を用いて当該ラック２の機器許容情報を簡単に取得することができる。
【００３０】
端末８は、演算処理部が記憶部からラック２の情報、機器９ａ、９ｂの個別情報、機器９ａ、９ｂの収容位置情報、スロット部２２１の空き情報、ラック２の機器許容情報を呼び出す。そして、端末８の演算処理部は、図４に示すように、当該ラック２の情報、機器９ａ、９ｂの個別情報、機器９ａ、９ｂの収容位置情報、スロット部２２１の空き情報、ラック２の機器許容情報に基づいて、ラック収容図を作成する。これにより、端末８は、ラック２の機器収容状態を一元的に管理することができる。
【００３１】
このような構成のラック収容機器管理システム１は、一台の読取手段７を用いて、良好にラック２の機器収容状態を一元管理することができる。そのため、ラック収容機器管理システム１は、安価に、しかも簡易な構成でラック２の機器収容状態を一元管理することができる。また、ラック毎に当該ラックの情報を記憶したラック情報ＲＦＩＤタグを貼り付けるので、簡単にラック毎の情報を取得し、ラック毎の機器の収容図を作成することができる。
【００３２】
さらに、ラック収容機器管理システム１は、ラック２内の機器の収容状態に変更が生じると、各ＲＦＩＤタグを読取手段７によって読み取るだけで、ラック収容図を更新することができる。
【００３３】
上述のラック収容機器管理システム１を用いて、ラック収容機器管理方法を実施する。ちなみに、図３に示すように、スロット部２２１ａ、２２１ｂにラックマウント２３ａを介して機器９ａが取り付けられ、スロット部２２１ｆにラックマウント２３ｂを介して機器９ｂが取り付けられる。
【００３４】
先ず、ラック２の情報が記憶されたラック情報ＲＦＩＤタグ３を当該ラック２に貼り付ける。次に、ラック２のラックレール２２におけるスロット部２２１ａ〜２２１ｆの位置情報が記憶された位置情報ＲＦＩＤタグ４ａ〜４ｆをそれぞれ、当該ラックレール２２のスロット部２２１ａ〜２２１ｆに対応するように貼り付ける。さらに、ラック２内に取り付けられる機器９ａ、９ｂの個別情報が記憶された個別情報ＲＦＩＤタグ５ａ、５ｂをそれぞれ、当該機器９ａ、９ｂの取付冶具であるラックマウント２３ａ、２３ｂに貼り付ける。この各ＲＦＩＤタグを貼り付ける順序は、特に限定されない。
【００３５】
次に、機器９ａ（９ｂ）をラックレール２２のスロット部２２１ａ、２２１ｂ（２２１ｆ）に取り付け、当該機器９ａ（９ｂ）が取り付けられたスロット部２２１ａ、２２１ｂ（２２１ｆ）に対応する位置情報ＲＦＩＤタグ４ａ、４ｂ（４ｆ）を覆う。すなわち、機器９ａは、ラックマウント２３ａを介してラックレール２２のスロット部２２１ａ、２２１ｂに取り付ける。このとき、スロット部２２１ａ、２２１ｂに対応する位置情報ＲＦＩＤタグ４ａ、４ｂは、ラックマウント２３ａによって覆われる。機器９ｂは、ラックマウント２３ｂを介してラックレール２２のスロット部２２１ｆに取り付ける。このとき、スロット部２２１ｆに対応する位置情報ＲＦＩＤタグ４ｆは、ラックマウント２３ｂによって覆われる。
【００３６】
次に、読取手段７によって、ラック情報ＲＦＩＤタグ３の情報を読み取り、当該情報を端末８に送信する。端末８は、受信したラック情報ＲＦＩＤタグ３の情報を記憶部に格納すると共に、当該ラック２の機器収容図を作成する準備を行う。
【００３７】
次に、読取手段７によって、個別情報ＲＦＩＤタグの情報５ａ、５ｂ及び露出する位置情報ＲＦＩＤタグ４ｃ〜４ｅの情報を配置順に読み取る。すなわち、読取手段７によって、上方から下方に向かって個別情報ＲＦＩＤタグ５ａの情報、位置情報ＲＦＩＤタグ４ｃ〜４ｅの情報、個別情報ＲＦＩＤタグ５ｂの情報を順に読み取る。読取手段７は、読み取った当該個別情報ＲＦＩＤタグ５ａの情報、位置情報ＲＦＩＤタグ４ｃ〜４ｅの情報、個別情報ＲＦＩＤタグ５ｂの情報を順に、端末８に送信する。端末８は、当該個別情報ＲＦＩＤタグ５ａの情報、位置情報ＲＦＩＤタグ４ｃ〜４ｅの情報、個別情報ＲＦＩＤタグ５ｂの情報を記憶部に格納する。そして、端末８の演算処理部は、記憶部から当該個別情報ＲＦＩＤタグ５ａの情報、位置情報ＲＦＩＤタグ４ｃ〜４ｅの情報、個別情報ＲＦＩＤタグ５ｂの情報を呼び出し、当該個別情報ＲＦＩＤタグ５ａの情報、位置情報ＲＦＩＤタグ４ｃ〜４ｅの情報、個別情報ＲＦＩＤタグ５ｂの情報に基づいて、機器９の収容位置情報を取得する。詳細には、端末８の演算処理部は、位置情報ＲＦＩＤタグ４ｃより上方に配置された位置情報ＲＦＩＤタグ４ａ、４ｂに対応するスロット部２２１ａ、２２１ｂに機器９ａが取り付けられていると判断し、機器９ａの収容位置情報を作成して記憶部に格納する。また、端末８の演算処理部は、位置情報ＲＦＩＤタグ４ｅより下方に配置された位置情報ＲＦＩＤタグ４ｆに対応するスロット部２２１ｆに機器９ｂが取り付けられていると判断し、機器９ｂの収容位置情報を作成して記憶部に格納する。このように、機器９を取り付けたスロット部２２１に対応する位置情報ＲＦＩＤタグ４をシールド手段で覆い、代わりに読み取った当該機器９の個別情報ＲＦＩＤタグ５の情報と、当該個別情報ＲＦＩＤタグ５の前後に読み取った位置情報ＲＦＩＤタグ４の情報とに基づいて、簡単に機器９の収容位置情報を取得することができる。
【００３８】
機器９の収容位置情報を取得すると共に、端末８の演算処理部は、読み取られた位置情報ＲＦＩＤタグ４ｃ〜４ｅに対応するスロット部２２１ｃ〜２２１ｅに機器が取り付けられていないと判断し、スロット部の空き情報を作成して記憶部に格納する。機器９が取り付けられているスロット部２２１に対応する位置情報ＲＦＩＤタグ４は、シールド手段で覆われているので、読み取った位置情報ＲＦＩＤタグ４に基づいて、簡単にスロット部の空き情報を取得することができる。
【００３９】
次に、端末８の演算処理部は、記憶部からラック情報ＲＦＩＤタグ３の情報と個別情報ＲＦＩＤタグ５ａ、５ｂの情報とを呼び出し、当該ラック情報ＲＦＩＤタグ３の情報と個別情報ＲＦＩＤタグ５ａ、５ｂの情報とに基づいて、ラック２の機器許容情報を取得する。ラック２の情報を記憶したラック情報ＲＦＩＤタグ３を当該ラック２に貼り付けているので、ラック情報ＲＦＩＤタグ３の情報を読み取ると、簡単にラック２の情報を取得することができる。そのため、ラック２の情報を用いて当該ラック２の機器許容情報を簡単に取得することができる。
【００４０】
次に、端末８の演算処理部は、記憶部からラック２の情報、機器９ａ、９ｂの個別情報、機器９ａ、９ｂの収容位置情報、スロット部２２１の空き情報、ラック２の機器許容情報を呼び出す。そして、端末８の演算処理部は、図４に示すように、当該ラック２の情報、機器９ａ、９ｂの個別情報、機器９ａ、９ｂの収容位置情報、スロット部２２１の空き情報、ラック２の機器許容情報に基づいて、ラック収容図を作成する。
【００４１】
このようなラック収容機器管理方法は、一台の読取手段７を用いて、良好にラック２の機器収容状態を一元管理することができる。そのため、ラック収容機器管理方法は、安価に、しかも簡易な構成でラック２の機器収容状態を一元管理することができる。また、ラック毎に当該ラックの情報を記憶したラック情報ＲＦＩＤタグを貼り付けるので、簡単にラック毎の情報を取得し、ラック毎の機器の収容図を作成することができる。
【００４２】
さらに、ラック収容機器管理方法は、ラック２内の機器の収容状態に変更が生じると、各ＲＦＩＤタグを読取手段７によって読み取るだけで、ラック収容図を更新することができる。
【００４３】
本発明は上記実施の形態に限られたものではなく、趣旨を逸脱しない範囲で適宜変更することが可能である。例えば、上記実施の形態では、ラックレールのスロット部に対応するように位置情報ＲＦＩＤタグ４を貼り付けているが、この限りではない。すなわち、機器９が棚に収容される場合は、棚毎に対応する位置情報ＲＦＩＤタグ４が貼り付けられる。要するに、機器取付部に対応するように位置情報ＲＦＩＤタグが貼り付けられていれば良い。ちなみに、上記実施の形態では、スロット部に対応するように位置情報ＲＦＩＤタグが貼り付けられているが、最上段のスロット部２２１ａの上方位置にラック内の最上部を示す位置情報ＲＦＩＤタグが貼り付けられていることが好ましい。また、最下段のスロット部２２１ｆの下方位置にラック内の最下部を示す位置情報ＲＦＩＤタグが貼り付けられていることが好ましい。
【００４４】
また、上記実施の形態では、上方から下方に個別情報ＲＦＩＤタグ５の情報及び露出する位置情報ＲＦＩＤタグ４の情報を読み取っているが、下方から上方に読み取っても良い。要するに、個別情報ＲＦＩＤタグ５の情報とその前後に読み取られた位置情報ＲＦＩＤタグ４の情報から機器９の収容位置情報を取得できるように、読み取れば良い。
【００４５】
ちなみに、全てのスロット部に機器９が取り付けられている場合は、読み取られた個別情報ＲＦＩＤタグ５の順序、当該個別情報ＲＦＩＤタグ５に記憶されている消費スロット部の数、及びラック情報ＲＦＩＤタグ３に記憶されているラック２のスロット数に基づいて、機器９の収容位置情報を取得すると良い。
【００４６】
また、上記実施の形態では、個々のＲＦＩＤタグに読取手段を近付けて、情報を読み取っているが、この限りでない。読取手段７は、アンチコリジョン機能を備え、複数のＲＦＩＤタグの情報を混線しないように、読み取っても良い。
【符号の説明】
【００４７】
１  ラック収容機器管理システム
２  ラック
３  ラック情報ＲＦＩＤタグ
４（４ａ〜４ｆ）  位置情報ＲＦＩＤタグ
５（５ａ、５ｂ）  個別情報ＲＦＩＤタグ
６  シールド手段
７  読取手段
８  端末
９（９ａ、９ｂ）  機器
２１  筐体
２２  ラックレール
２３（２３ａ、２３ｂ）  ラックマウント
２２１（２２１ａ〜２２１ｆ）  スロット部
【図１】
2010205127.tif 000003
【図２】
2010205127.tif 000004
【図３】
2010205127.tif 000005
【図４】
2010205127.tif 000006